(57)【特許請求の範囲】
【請求項１】
複数の線材を用いて線材束を組立てるための組立図板であって、
前記線材束を保持する治具がそれぞれ立設可能な第１の平板および第２の平板と、前記第１の平板に設けられ、該第１の平板の長手方向に沿って前記第２の平板を移動するように収納する収納部とを備えたことを特徴とする線材束の組立図板。
【請求項２】
前記第２の平板の幅が第１の平板の幅よりも短く形成されたことを特徴とする請求項１記載の線材束の組立図板。
【発明の詳細な説明】
【０００１】
【発明の属する技術分野】
本発明は、線材束の組立図板に関し、詳しくは、複数の電線からワイヤハーネス等の線材束を配線する際に使用するのに好適な線材束の組立図板に関する。
【０００２】
【従来の技術】
一般に、車体や電気機器等のパネルの所定位置に、線材束として、例えばワイヤハーネスを配線することが知られている。このワイヤハーネスは周囲の部材との関係や電子機器の位置関係等に応じて配線されるようになっており、配線後に所定箇所がビニールテープ等によって強固に結束されるようになっている。
【０００３】
従来のこの種のワイヤハーネスの配線に際しては、図４に示すような組立図板が用いられる。図４において、１は平板であり、この平板１上には図示しないワイヤハーネスを保持する配線用のＵ字状治具２〜４が立設されており、このＵ字状治具２〜４は配線されるワイヤハーネスの形状に応じた分岐位置および配線方向に配置されている。
【０００４】
そして、この組立図板でワイヤハーネスを配線するには、Ｕ字状治具２〜４に挟み込むようにして用途に応じた種類の電線を順次挿入して行き、配線の終了後にワイヤハーネスにビニールテープ等を取り付けて結束するようにしている。
【０００５】
【発明が解決しようとする課題】
このような従来の組立図板にあっては、例えば、２種類のワイヤハーネスを組立てる場合、例えば、ワイヤハーネスの端部から分岐位置までの長さが１０００ｍｍと１５００ｍｍの２種類のワイヤハーネスを組立てる場合には、図５に示すように、Ｕ字状治具２、３の配置位置が異なる２種類の組立図板が必要になってしまった。
【０００６】
また、このようにワイヤハーネスの種類がさらに増大する場合には、それに合わせた組立図板が必要になってしまい、組立図板の管理が面倒である上に、多数の組立図板を保管する広い保管スペースを確保しなければならないという問題があった。さらに、仕様や受注量に応じて使用回数が少ない組立図板もあるため、その場合には、その組立図板の減価償却が進まず、ワイヤハーネスの製造コストが増大してしまうという問題があった。
【０００７】
そこで本発明は、１種類の組立図板で多数種類の線材束を組立てることができるようにして、組立図板の管理の簡素化を図ることができるとともに保管スペースを少なくすることができ、さらに、減価償却を進めて線材束の製造コストの少なくすることができる線材束の組立図板を提供することを目的としている。
【０００８】
【課題を解決するための手段】
請求項１記載の発明は、上記課題を解決するために、複数の線材を用いて線材束を組立てるための組立図板であって、前記線材束を保持する治具がそれぞれ立設可能な第１の平板および第２の平板と、前記第１の平板に設けられ、該第１の平板の長手方向に沿って前記第２の平板を移動するように収納する収納部とを備えたことを特徴としている。
【０００９】
その場合、第２の平板を第１の平板の長手方向に沿って移動させることにより、第１の平板および第２の平板の相対的な長さを可変するようにして、第１平板および第２平板に立設される治具間の距離を製造される線材束の種類に合わせて可変させることができる。この結果、１種類の組立図板で多数種類の線材束を組立てることができ、組立図板の管理の簡素化を図ることができる。また、組立図板の保管時には第２の平板の大部分を第１の平板に収納することにより、第１の平板および第２の平板の相対的な長さを短くすることができるため、組立図板の保管スペースを少なくすることができる。
【００１０】
さらに、１種類の組立図板で多数種類の線材束を組立てることができるので、組立図板の減価償却を進めて線材束の製造コストを少なくすることができる。
【００１１】
請求項２記載の発明は、上記課題を解決するために、請求項１記載の発明において、前記第２の平板の幅が第１の平板の幅よりも短く形成されたことを特徴としている。
【００１２】
その場合、第１の平板に対して小さな形状の第２の平板を使用することができるため、組立図板そのものの製造コストを少なくすることができる。
【００１３】
【発明の実施の形態】
以下、本発明の実施形態を図面に基づいて説明する。
【００１４】
図１〜３は本発明に係る線材束の組立図板の第１実施形態を示す図である。
【００１５】
まず、構成を説明する。図１、２において、複数の線材を用いて線材束を組立てるための組立図板であって、１１は第１の平板であり、この第１の平板１１には図示しない複数の電線（線材）からなるワイヤハーネス（線材束）を保持する配線用のＵ字状治具１２、１３が立設されている。また、１４は第２の平板であり、この第２の平板１４にもワイヤハーネスを保持する配線用のＵ字状治具１５が立設されている。
【００１６】
また、第１の平板１１の背面の幅方向両端部には、第１の平板１１の長手方向に亘って断面Ｌ字型の一対のガイド部材（収納部）１６ａ、１６ｂが取付けられており、このガイド部材１６ａ、１６ｂ内には第２の平板１４が収納されている。このため、第２の平板１４は第１の平板１１の長手方向に沿って移動して第１の平板１１および第２の平板１４の相対的な長さが可変されるようになっている。
【００１７】
また、ガイド部材１６ａ、１６ｂの所定箇所にはそれぞれボルト１７ａ、１７ｂが螺合されており、このボルト１７ａ、１７ｂが第２の平板１４の両端部に係合することにより、第２の平板１４が第１の平板１１の固定されるようになっている。
【００１８】
このような構成を有する組立図板にあっては、図３（ａ）（ｂ）に示すように第１の平板１１に収納される第２の平板１４を第１の平板１１の長手方向に移動させることにより、１種類の組立図板で異なる長さ（種類）のワイヤハーネスを組立てることができる。このため、組立図板の管理の簡素化を図ることができるとともに、組立図板の保管時には第２の平板１４の大部分を第１の平板１１に収納することにより、第１の平板１１および第２の平板１４の相対的な長さを短くすることができ、組立図板の保管スペースを少なくすることができる。
【００１９】
さらに、１種類の組立図板で多数種類のワイヤハーネスを組立てることができるので、組立図板の減価償却を進めてワイヤハーネスの製造コストを少なくすることができる。
【００２０】
なお、本実施形態では、略同じ形状の第１の平板１１と第２の平板１４を用いているが、これに限らず、図３に示すように、第２の平板２０の幅を第１の平板１１の幅よりも短く形成し、第１の平板１１の背面の長手方向中央部に第２の平板２０を収納する中空状のガイド部材（収納部）２１を設けても良い。
【００２１】
このようにすれば、第１の平板１１に対して小さな形状の第２の平板２０を使用することができるため、組立図板そのものの製造コストを少なくすることができるという効果がある。
【００２２】
【発明の効果】
請求項１記載の発明によれば、第２の平板を第１の平板の長手方向に沿って移動させることにより、第１の平板および第２の平板の相対的な長さを可変するようにして、第１平板および第２平板に立設される治具間の距離を製造される線材束の種類に合わせて可変させることができる。この結果、１種類の組立図板で多数種類の線材束を組立てることができ、組立図板の管理の簡素化を図ることができる。また、組立図板の保管時には第２平板の大部分を第１の平板に収納することにより、第１の平板および第２の平板の相対的な長さを短くすることができるため、組立図板の保管スペースを少なくすることができる。
【００２３】
さらに、１種類の組立図板で多数種類の線材束を組立てることができるので、組立図板の減価償却を進めて線材束の製造コストを少なくすることができる。
【００２４】
請求項２記載の発明によれば、第１の平板に対して小さな形状の第２の平板を使用することができるため、組立図板そのものの製造コストを少なくすることができる。
【図面の簡単な説明】
【図１】本発明に係る組立図板の一実施形態を示す図であり、（ａ）はその外観図、（ｂ）は同図（ａ）のＡ−Ａ方向矢視断面図である。
【図２】（ａ）は一実施形態の組立図板を長くした状態を示す図、（ｂ）は組立図板を短くした状態を示す図である。
【図３】一実施形態の他の形状の第２の平板を備えた組立図板の要部外観図である。
【図４】従来の組立図板の外観図である。
【図５】従来の異なるワイヤハーネスを製造するための２種類の組立図板の外観図である。
【符号の説明】
１１    第１の平板
１２、１３、１５    Ｕ字状治具（治具）
１４、２０    第２の平板
１６ａ、１６ｂ、２１    ガイド板（収納部）
【図１】
0003613096.tif 000002
【図２】
0003613096.tif 000003
【図３】
0003613096.tif 000004
【図４】
0003613096.tif 000005
【図５】
0003613096.tif 000006